(57)【特許請求の範囲】
【請求項１】
便器からの汚物を一時的に保留する中間保留タンクと、この中間保留タンクの汚物を受容する最終保留タンクとの間に、ポンプと複数の三方弁を配設し、中間保留タンク内の汚物を、ポンプの作動と三方弁の切換動作により最終保留タンク内に移送し、また最終保留タンク内の汚物を、ポンプの作動と三方弁の切換動作により、地上処理施設に放出する構成の車両用汚物処理装置において、ポンプを２台使用し、かつ第３の三方弁とを付加して、中間保留タンク内の汚物を最終保留タンクに移送するとき、いづれか一方のポンプと第３の三方弁を使用し、最終保留タンク内の汚物を地上処理施設に放出するとき、２台のポンプと第３の三方弁とを使用することを特徴とした車両用汚物処理装置。
【請求項２】
便器からの汚物を一時的に保留する中間保留タンクと、中間保留タンク内の汚物を受容する最終保留タンクとの間に、一端部が中間保留タンクに、中間端部が最終保留タンクにそれぞれ接続された第１三方弁と、入力側がそれぞれ前記第１三方弁の他端部に接続された２台のポンプと、一端部が一方のポンプの出力側に、他端部が他方のポンプの出力側にそれぞれ接続された第２三方弁と、一端部が前記第２三方弁の中間端部に、他端が最終保留タンクにそれぞれ接続されると共に、中間端部が地上処理施設に連結される第３三方弁を配設して成り、中間保留タンク内の汚物を最終保留タンクに移送するとき、第１三方弁の一端部と他端部とを連通し、第２三方弁の一端部乃至他端部のいづれか一方と中間端部とを連通し、かつ、第３三方弁の一端部と他端部とを連通すると共に、いづれか一方のポンプを作動し、また最終保留タンク内の汚物を地上処理施設に放出するとき、第１三方弁の中間端部と他端部とを連通し、第２三方端部を相互に連通し、かつ、第３三方弁の一端部と中間端部とを連通すると共に、２台のポンプを作動することを特徴とした車両用汚物処理装置。
【請求項３】
第１三方弁の一端部を、中間保留タンクの底部位置に、その中間端部を最終保留タンクの底部位置に、また第３三方弁の他端部を、最終保留タンクの上部位置にそれぞれ接続して成る請求項２記載の車両用汚物処理装置。
【発明の詳細な説明】
【０００１】
【発明の属する技術分野】
本願は、車両用の汚物処理装置に関する。
【０００２】
【従来の技術】
従来、車両用の汚物処理装置は、図５で示すように、便器から排出される汚物を、負圧作用により吸引して一時的に保留する中間保留タンク５０と、該中間保留タンク５０内の汚物を受容する最終保留タンク５１とを有し、前記中間保留タンク５０の底部から伸びる排出パイプ５２に、第１三方弁５３と、ポンプ５４と、第２三方弁５５とを直列に接続すると共に、該第２三方弁５５の中間端部ｃを最終保留タンク５１の上部に接続し、また第２三方弁５４の他端部ｂには、地上基地に設置された汚物処理施設に連結する放出パイプ５６を接続し、さらに、前記第１三方弁５３の中間端部ｃを連通パイプ５７により、前記最終保留タンク５１の底部に接続して成るものである。
【０００３】
しかして、上記した従来の汚物処理装置によれば、中間保留タンク５０から汚物を最終保留タンク５１に移送するときは、第１三方弁５３をポンプ５４の一端部ａと他端部ｂとを連通し、また第２三方弁５５の一端部ａと中間端部ｃとを連通し、この状態で、ポンプ５４を作動すると、中間保留タンク５０内の汚物は、第１三方弁５３→ポンプ５４→第２三方弁５５を介して最終保留タンク５１内に移送される。
【０００４】
また、上記において、最終保留タンク５１内の汚物を、地上基地の処理施設に放出するときは、第１三方弁５３の中間端部ｃと他端部ｂとを連通し、また第２三方弁５５の一端部ａと他端部ｂとを連通し、この状態でポンプ５４を作動すると、最終保留タンク５１内の汚物は、連通パイプ５７→第１三方弁５３→ポンプ５４→第３三方弁５５→放出パイプ５６を介して地上基地の処理施設に放出される。
【０００５】
【発明が解決しようとする課題】
ところが、一般に最終保留タンク５１から地上処理施設に汚物を放出する場合は、車両の運行時間や停車時間などの制約から、短時間での汚物の放出が要求され、そのため、通常は大容量のポンプが使用されている。
【０００６】
ところが、中間保留タンク５０から最終保留タンク５１に対する汚物の移送は、車両が運行されている長時間において行えばよいので、それ程大容量のポンプを使用する必要はなく、従って車両の運行時間全体からみて、最終保留タンク５１から地上処理施設に放出する短時間の作動のために、中間保留タンク５０から最終保留タンク５１に汚物を移送する場合にも、大容量のポンプを使用しなければならないので、無駄な電力を消費するという不都合があった。
【０００７】
また、従来の装置において、１台のポンプを使用しているので、ポンプに何らかのトラブルが発生して使用不能となったとき、最終保留タンクから、汚物を地上処理施設に放出することができなくなるという不都合があった。
【０００８】
【課題を解決するための手段】
そこで、本願は、上記した従来のものの不合理，不都合を解決するために、便器からの汚物を一時的に保留する中間保留タンクと、この中間保留タンクの汚物を受容する最終保留タンクとの間に、ポンプと複数の三方弁を配設し、中間保留タンク内の汚物を、ポンプの作動と三方弁の切換動作により最終保留タンク内に移送し、また最終保留タンク内の汚物を、ポンプの作動と三方弁の切換動作により、地上処理施設に放出する構成の車両用汚物処理装置において、ポンプを２台使用し、かつ、第３の三方弁とを付加して、中間保留タンク内の汚物を最終保留タンクに移送するとき、いづれか一方のポンプと第３の三方弁を使用し、最終保留タンク内の汚物を地上処理施設に放出するとき、２台のポンプと第３の三方弁とを使用することを特徴としたものである。
【０００９】
具体的には、便器からの汚物を一時的に保留する中間保留タンクと、中間保留タンク内の汚物を受容する最終保留タンクとの間に、一端部が中間保留タンクに、中間端部が最終保留タンクにそれぞれ接続された第１三方弁と、入力側がそれぞれ前記第１三方弁の他端部に接続された２台のポンプと、一端部が一方のポンプの出力側に、他端部が他方のポンプの出力側にそれぞれ接続された第２三方弁と、一端部が前記第２三方弁の中間端部に、他端が最終保留タンクにそれぞれ接続されると共に、中間端部が地上処理施設に連結される第３三方弁を配設して成り、中間保留タンク内の汚物を最終保留タンクに移送するとき、第１三方弁の一端部と他端部とを連通し、第２三方弁の一端部乃至他端部のいづれか一方と中間端部とを連通し、かつ、第３三方弁の一端部と他端部とを連通すると共に、いづれか一方のポンプを作動し、また最終保留タンク内の汚物を地上処理施設に放出するとき、第１三方弁の中間端部と他端部とを連通し、第２三方端部を相互に連通し、かつ、第３三方弁の一端部と中間端部とを連通すると共に、２台のポンプを作動することを特徴としたものであり、上記において好ましくは、第１三方弁の一端部を、中間保留タンクの底部位置に、その中間端部を最終保留タンクの底部位置に、また第３三方弁の他端部を、最終保留タンクの上部位置にそれぞれ接続して成る。
【００１０】
【実施の形態】
以下図面にもとづいて、本願の実施の形態について詳述する。図１は、一部省略して示した側面図、図２は、同正面図であり、１は従来と同様に、便器からの汚物を吸引して一時的に保留する中間保留タンク、２は中間保留タンク１内の汚物を受容する最終保留タンクをそれぞれ示している。
【００１１】
中間保留タンク１の底部には、排出パイプ３を介してモータまたはアクチェータを備えた第１三方弁４が接続され、その中間端部は、連通パイプ５を介して最終保留タンク２を底部に接続してある。
【００１２】
前記第１三方弁４の他端部には、二又状に分岐した中間パイプ６が連結されると共に、その分岐されたパイプ６ａ，６ｂがそれぞれ２台のポンプ７，８の入力側に接続してある。
【００１３】
前記２台のポンプ７，８の出力側には、それぞれ連結パイプ９，１０が接続してあると共に、それらの各他端が、それぞれモータまたはアクチェータを備えた第２三方弁１１の一端部と他端部とに接続してある。
【００１４】
前記第２三方弁１１の中間端部には、モータまたはアクチェータを備えた第３三方弁１２が接続してあると共に、その中間端部が最終保留タンク２の上部位置に、また、その他端部には、地上処理施設に連通する放出パイプ１３が接続してある。
【００１５】
上記における第２三方弁は、図３（Ａ），（Ｂ），（Ｃ）で示すように、その一端部ａと他端部ｂと中間端部ｃとの三方端部が相互に連通する状態と、一端部ａと中間端部ｃとが連通する状態と、他端部ｂと中間端部ｃとが連通する状態とに切り換わる。
【００１６】
なお、図中１４および１５は、ポンプ７および８の故障状態をそれぞれ検知する圧力センサーである。
【００１７】
しかして、中間保留タンク１から汚物を最終保留タンク２内に移送するときは、一方のポンプ８を休止させ、かつ、図４（Ａ）で示すように、第１三方弁４の一端部ａと他端部ｂとを連通し、また、第２三方弁１１の一端部ａを中間端部ｃおよび第３三方弁１２の一端部ａと他端部ｂをそれぞれ連通し、この状態で一方のポンプ７を作動する。
【００１８】
すると、同図の矢印で示すように、中間保留タンク１内の汚物は、第１三方弁４→ポンプ７→第２三方弁１１→第３三方弁１２を介して最終保留タンク２内に移送される。
【００１９】
この作用は、一方のポンプ７を休止し、他方のポンプ８を作動したときも同様であり、この場合は、第２三方弁１１の他端部ｂと中間端部ｃとが連通する。
【００２０】
次に、上記において、最終保留タンク２内の汚物を地上処理施設に放出するときは、図４（Ｂ）で示すように、第１三方弁４の中間端部ｃと他端部ｂとを連通し、また、第２三方弁１１の三方端部ａ，ｂ，ｃを相互に連通し、かつ、第３三方弁１２の一端部ａと中間端部ｃとを連通し、この状態で、ポンプ７と８を作動する。
【００２１】
すると、同図の矢印で示すように、最終保留タンク２内の汚物は、連通パイプ→第１三方弁４→ポンプ７，８→第２三方弁１１→第３三方弁１２→放出パイプ１３を介して、地上処理施設に大容量の汚物が短時間で放出される。
【００２２】
なお、上記において、中間保留タンク１内の汚物を２台のポンプ７，８を用いて最終保留タンク２に移送することもできる。
この場合は、図４（Ｃ）で示すように、第１三方弁４の一端部ａと他端部ｂとを連通し、また第２三方弁１１の三方端部ａ，ｂ，ｃを相互に連通し、さらに第３三方弁１２の一端部ａと他端部ｂとを連通し、この状態でポンプ７，８を作動する。
【００２３】
すると、同図の矢印で示すように、中間保留タンク１内の汚物は、第１三方弁４→ポンプ７，８→第２三方弁１１→第３三方弁１２を介して、最終保留タンク２内に短時間で移送される。
【００２４】
なお、図示しないが、第１，第２，第３三方弁４，１１，１２の切換作動および圧力センサの作動すなわち、圧力センサ１４乃至１５によりいづれか一方のポンプ７乃至８の故障を検知したときに、この検知信号により、相対するポンプ８乃至７の作動は、電子回路により自動制御される。
【００２５】
【発明の効果】
以上詳記したように、本願発明によれば、車両の運行状態で行われる中間保留タンクから最終保留タンクへの汚物の移送においては、一方のポンプの作動により、また時間的制約により短時間での最終保留タンクから地上処理施設への汚物の放出においては、２台のポンプの作動によりそれぞれ行われるので、１台のポンプの容量を、従来の場合よりも小さく選定することができ、このことは、消費電力を軽減できて経済的であるという利点を有する。
【００２６】
さらにまた、本願発明によれば、１台のポンプの使用ができなくなった場合でも、他方のポンプの作動により、中間保留タンクから最終保留タンクへの汚物の移送および最終保留タンクから地上処理施設への汚物の放出を支障なく実行することができるという利点を有する。
【図面の簡単な説明】
【図１】装置の構成を示す正面図
【図２】一部省略した装置の構成を示す側面図
【図３】三方弁の切り換え状態を示す図
【図４】（Ａ），（Ｂ），（Ｃ）汚物の流通態様を示す図
【図５】従来装置の構成図
【符号の説明】
１  中間保留タンク
２  最終保留タンク
３  排出パイプ
４  第１三方弁
５  連通パイプ
６  中間パイプ
７，８  ポンプ
９，１０  連結パイプ
１１  第２三方弁
１２  第３三方弁
【図１】
0003541800.tif 000002
【図２】
0003541800.tif 000003
【図３】
0003541800.tif 000004
【図４】
0003541800.tif 000005
【図５】
0003541800.tif 000006